(57)【要約】      （修正有）【課題】油汚れを簡単にかつ速やかに除去し、美観を保持でき、衛生的にも好ましく、しかも種々のレンジフードの開口部やフィルタ部などにも容易に取付けることができる換気扇の汚れ防止カバーを提供する。【解決手段】調理時に排出される排気が流通するレンジフードの開口部やフィルタ部３を覆う難燃性の不織布からなる袋状部１１と、この袋状部１１をぴんと張った緊張状態にする緊張手段１２と、を有することを特徴とする。【選択図】図２
0003101197.tif 000002
【実用新案登録請求の範囲】
【請求項１】
調理時に排出される排気が流通するレンジフードの開口部やフィルタ部を覆う通気性のある袋状部と、この袋状部をぴんと張った緊張状態にする緊張手段と、を有する換気扇の汚れ防止カバー。
【請求項２】
前記緊張手段は、前記袋状部の所定位置に環状に取付けられた弾性線材により構成したことを特徴とする請求項１に記載の換気扇の汚れ防止カバー。
【請求項３】
前記弾性線材は、前記袋状部の端部に形成された袋縫い部内に挿通したことを特徴とする請求項２に記載の換気扇の汚れ防止カバー。
【請求項４】
前記袋状部は、矩形状をした前記開口部やフィルタ部の４隅を包むように縫合成形したことを特徴とする請求項１又は２に記載の換気扇の汚れ防止カバー。
【請求項５】
前記緊張手段は、矩形状をした前記開口部やフィルタ部の４隅を包む前記袋状部の背面側角部に斜に取付けられた弾性線材により構成したことを特徴とする請求項１に記載の換気扇の汚れ防止カバー。
【請求項６】
前記袋状部は、前記背面側角部が前記４隅をきっちりと包むように切除部を設けたことを特徴とする請求項５に記載の換気扇の汚れ防止カバー。
【請求項７】
前記袋状部は、矩形状をした前記開口部やフィルタ部の隣接する一対の角部をきっちりと包むように接合して成形された第１覆い部と、前記開口部やフィルタ部の他の一対の角部を超えて伸延され当該他の一対の角部をきっちりと包むように折り返される第２覆い部と、を有し、当該第２覆い部の保持位置を調節することにより前記袋状部をぴんと張った緊張状態にすることを特徴とする請求項１に記載の換気扇の汚れ防止カバー。
【請求項８】
前記袋状部は、難燃性の不織布により構成したことを特徴とする請求項１〜７のいずれかに記載の換気扇の汚れ防止カバー。
【請求項９】
前記袋状部は、前記フィルタ部に設けられた把手が挿通する切込み部を有することを特徴とする特徴とする請求項１に記載の換気扇の汚れ防止カバー。
【考案の詳細な説明】
【技術分野】
【０００１】
本考案は、台所等のガスレンジ上部に設けられたレンジフードに使用する換気扇の汚れ防止カバーの改良に関する。
【背景技術】
【０００２】
一般に、レンジフードは、台所あるいは調理場等で使用されているガスレンジ上部に設けられ、煮炊き時に排出される排気を集めるフード部材と、排気を吸引するファン装置とを有し、フード部材で集められた排気を外部に排出するようになっている。
【０００３】
このフード部材には、フード部材に形成された空気流通路内全体または一部にフィルタ部が設けられ、排気中に含まれる油成分を空気流の衝突や、濾過により除去している。なお、フィルタ部は、一般的には、アルミニウム合金、鋼あるいは合成樹脂により形成された格子状あるいは多孔板状のものである。
【０００４】
しかし、長期間使用していると、フィルタ部等の表面に油分が付着し、美観を損ねるのみでなく衛生的にも好ましくない。特に、最近多用されているシステムキッチンは、レンジフードもインテリアの一部を構成しており、美観が重視されることから、油分の付着や付着した油分が垂れ落ちは、極力防止しなければならない。また、レンジフードのフィルタ部等が汚れると、頻繁に清掃を行なわなければならないが、この清掃は、落としにくい油汚れの清掃であることから、面倒な清掃作業となるのみでなく、比較的高所作業となることからも、より一層作業が面倒になる。
【０００５】
このため、最近では、フィルタ部の表面に、脱着可能な汚れ防止カバーを取付け、このカバーが汚れると、新規なものと交換するようにしている。この汚れ防止カバーの取付け方式には、種々の形式が採用されており、たとえば、磁石式、フック式、ファスナー式、専用枠式、アルミニウム板折り曲げ式、接着式などがある（下記特許文献１〜６など参照）。
【０００６】
しかし、これらはいずれも製造コストが高くつき、汎用性のないものであり、区々としている各社のレンジフードや金属製のフィルタ部に取付ける場合、困難な作業になることが多々ある。
【特許文献１】特開平１０−３８３４０号公報（要約参照）
【特許文献２】特開平８−１１４３４１号公報（要約参照）
【特許文献３】特開平６−２４９４７９号公報（要約参照）
【特許文献４】特開２００１−１２０９３１号公報（要約参照）
【特許文献５】実開平６−６９６３５号公報（要約参照）
【特許文献６】実開平５−７０６１７号公報（要約参照）
【考案の開示】
【考案が解決しようとする課題】
【０００７】
本考案は、上述した従来技術の課題を解決するためになされたもので、油汚れを簡単にかつ速やかに除去し、美観を保持でき、衛生的にも好ましく、しかも種々のレンジフードの開口部やフィルタ部などにも容易に取付けることができる換気扇の汚れ防止カバーを提供することを目的とする。
【課題を解決するための手段】
【０００８】
上記目的を達成するために、本考案に係る換気扇の汚れ防止カバーは、調理時に排出される排気が流通するレンジフードの開口部やフィルタ部を覆う通気性のある袋状部と、この袋状部をぴんと張った緊張状態にする緊張手段と、を有することを特徴とする。
【考案の効果】
【０００９】
本考案に係る換気扇の汚れ防止カバーは、通気性のある袋状部に緊張手段を設けたので、当該カバーをレンジフードの開口部やフィルタ部の前面でぴんと張った緊張状態にすることができ、排気中に油分があっても、汚れ防止カバーが油分捕捉能力を発揮し、油分を吸着保持し、後日、これを剥離して廃棄すれば、油汚れを簡単にかつ速やかに除去することができ、美観を保持でき、衛生的にも好ましい。
【００１０】
特に、緊張手段を袋状部の所定位置に環状に取付けられた弾性線材により構成すれば、常時カバーをフィルタ部の前面でぴんと張った緊張状態にすることができるのみでなく、伸縮性を持って汚れ防止カバーをレンジフードの開口部やフィルタ部に取付けることができるので、種々のレンジフードの開口部やフィルタ部に簡単に取付け取外しができる。
【００１１】
この弾性線材を、袋状部の端部に形成された袋縫い部内に挿通すれば、前記効果に加えて、仕上がりのよい製品となり、コスト的にも有利となる。
【００１２】
袋状部に、矩形状をしたフィルタ部の４隅を包むように縫合形成すれば、矩形状のフィルタ部などでも、きっちりと取付けができ、風路に配置しても流通する空気流によりバタつくことはなく、異音の発生も防止できる。
【００１３】
前記緊張手段は、矩形状をした前記開口部やフィルタ部の４隅を包む前記袋状部の背面側角部に斜に取付けられた弾性線材により構成しても、前記同様常時カバーをフィルタ部の前面でぴんと張った緊張状態にすることができ、また、伸縮性を持って汚れ防止カバーをフィルタ部に取付けることができるので、種々のレンジフードの開口部やフィルタ部に簡単に取付け取外しができる。
【００１４】
この場合、袋状部の背面側角部にフィルタ部などの４隅をきっちりと包むように切除部を設けると、より伸縮性のある汚れ防止カバーとなり、種々のレンジフードの開口部やフィルタ部に簡単に取付け取外しができる。
【００１５】
また、袋状部に、矩形状をした前記開口部やフィルタ部の隣接する一対の角部をきっちりと包む第１覆い部と、他の一対の角部を超えて伸延され当該他の一対の角部をきっちりと包むように折り返される第２覆い部とを設け、第２覆い部の保持位置を調節することにより袋状部をぴんと張った緊張状態にすれば、弾性材を使用することがないので、経済的で、より密着性の高い取付けが可能となる。
【００１６】
袋状部を難燃性の不織布により構成すれば、材料面で汎用性があり、しかも火災などを生じることもなく、安心して使用できることになる。
【００１７】
袋状部に、フィルタ部に設けられた把手が挿通する切込み部を設けると、取付け取外しが簡単にできる。
【考案を実施するための最良の形態】
【００１８】
以下、本発明の実施の形態を図面について説明する。  
【００１９】
図１は本発明の実施の形態を示す断面図、図２は図１の要部を示す分解斜視図、図３は図１の要部を示す拡大断面図である。
【００２０】
一般にレンジフード１は、図１に示すように、台所の天井部分に設けられており、調理時に排出される排気を集めるフード部材２と、このフード部材２内に設けられたフィルタ部３と、排気を吸引するファン装置４とを有している。
【００２１】
前記フード部材２は、端部に開口部５を有し、当該レンジフード１の下位に設けられているガスレンジ（不図示）から排出され、前記開口部５で集められた排気を前記ファン装置４まで導くダクトとして機能するものである。
【００２２】
前記フィルタ部３は、図２に示すように、フレーム６内に比較的細かなメッシュの金網状本体７が設けられているが、本実施形態では、このフレーム６を外部から覆う、難燃性の不織布からなる汚れ防止カバー１０が設けられている。
【００２３】
この汚れ防止カバー１０は、図２，３に示すように、フィルタ部３を包む袋状部１１と、この袋状部１１を絞りぴんと張った緊張状態にする緊張手段１２と、を有している。
【００２４】
袋状部１１は、矩形状をしたフィルタ部３の４隅を包むように、一部が切除された後に縫合された縫合部１３が形成されているので、矩形状のフィルタ部３でも、きっちりと取付けができ、風路に配置しても流通する空気流により余分の不織布がバタつくことはなく、異音の発生も防止できる。
【００２５】
前記緊張手段１２は、袋状部１１の端部に形成された袋縫い部１４内に挿通された、環状のゴム紐などからなる弾性線材１５により構成されており、この弾性線材１５を拡径したときに、フィルタ部３を包むことができる程度まで開くように、袋状部１１の所定位置に取付けられている。このように弾性線材１５を、袋状部１１の端部に形成された袋縫い部１４内に挿通すれば、仕上がりのよい製品となり、コスト的にも有利となる。ただし、この弾性線材１５は袋状部１１に直接縫い付けてもよく、また、フィルタ部３を包むことができる程度まで開くことができるならば、必ずしも袋状部１１の端部でなくてもよい。
【００２６】
次に、作用を説明する。
【００２７】
まず、汚れ防止カバー１０をフィルタ部３に取付けるには、フィルタ部３をレンジフード１から外す。そして、緊張手段１２を伸ばし、フィルタ部３を汚れ防止カバー１０内に入れ、少なくともフィルタ部３の前面を覆うように包む。この状態で緊張手段１２を放すと、その弾性により袋状部１１はぴんと張った緊張状態になる。本実施形態では、このような簡単な操作で汚れ防止カバー１０をフィルタ部３に取付けることができる。汚れ防止カバー１０が取付けられたフィルタ部３を、再度レンジフード１に取付ければ、取付け作業は完了する。
【００２８】
このフィルタ部３をレンジフード１に取付けた状態で、ファン装置４を作動すると、ガスレンジから排出された排気がフード部材２により集められ、フード部材２内に吸引され、汚れ防止カバー１０を有するフィルタ部３を通って、外部に排出されるが、この汚れ防止カバー１０は、通気性を有するので、排気中から油分を除去つつ空気流を流すことができる。この排気中に含まれる油分は、汚れ防止カバー１０に捕捉されたり、あるいはフィルタ部３の金網状本体７に衝突することにより捕捉され、汚れ防止カバー１０に吸着されることになる。したがって、フード部材２を通って外部に輩出される油分は、激減し、比較的清浄な空気となって排出される。
【００２９】
また、汚れ防止カバー１０が汚れると、フィルタ部３をレンジフード１から外し、緊張手段１２を開いてフィルタ部３を取り出し、緊張手段１２を開き、フィルタ部３から汚れ防止カバー１０を除去すれば、油汚れを簡単にかつ速やかに処分できる。そして、新たな汚れ防止カバー１０をフィルタ部３に設け、これをレンジフード１に取付けると、レンジフード１の美観を保持でき、衛生的にも好ましいものとなる。
【００３０】
図４は本考案の第２実施形態を示す背面図である。前記実施形態では、緊張手段１２は、弾性線材１５が袋状部１１の端部全周に設けられているが、弾性線材１５の使用量を低減し、コストを削減するには、図４に示すように、矩形状をしたフィルタ部３の４隅を包む袋状部１１の各角部に弾性線材１５ａを斜に取付けることが好ましい。
【００３１】
このようにすれば、袋状部１１の各角部において、フィルタ部３の隅部を安定的に差し込むことができ、装着が極めてスムーズとなり、汚れたときにも取外しが簡単にできることになる。
【００３２】
特に、袋状部１１の各角部に、切除部１７を設けると、袋状部１１相互間が近接離間し易く、より伸縮性のある汚れ防止カバーとなり、前記フィルタ部３の差し込み、装着性、取外し性がより一層簡単にでき、しかも、種々のレンジフードの開口部やフィルタ部に簡単に脱着できる。
【００３３】
図５は本考案の第３実施形態を示す背面図である。前記実施形態では、緊張手段１２は、弾性線材１５または１５ａを有しているが、必ずしも弾性線材１５，１５ａはなくてもよい。
【００３４】
図５に示す袋状部１１は、矩形状をしたフィルタ部３の隣接する一対の角部をきっちりと包むように接合して成形された第１覆い部１１ａと、フィルタ部３の他の一対の角部を超えて伸延され当該他の一対の角部をきっちりと包むように折り返される第２覆い部１１ｂとを有している。
【００３５】
そして、この袋状部１１の第２覆い部１１ｂを折り曲げて、フィルタ部３をきっちりと覆った状態で当該第２覆い部１１ｂを接合手段１８により袋状部１１と接合し、第２覆い部１１ｂを固定的に保持する位置を調節すれば、弾性材を使用することなく、袋状部１１をぴんと張った緊張状態にすることができる。ここに、接合手段１８は、不織布を係止し得るベルクロファスナにより構成することが好ましい。固定保持や位置調節が簡単で、コスト的にも有利だからである。なお、図中に示す破線１９は、折り曲げ線である。
【００３６】
図６はフィルタ部の変形例を示す断面図、図７は同変形例に使用する汚れ防止カバーを示す正面図である。
【００３７】
前記フィルタ部３には、図６に示すように、取外しなどの操作を容易にするために、把手２０が設けられることがあるが、このようなフィルタ部３を覆うには、図７に示すように、把手２０が挿通する切込み部２１を袋状部１１に形成することが好ましい。
【００３８】
このようにすれば、フィルタ部３の脱着が簡単になるのみでなく、把手２０を持ってフィルタ部３の脱着も簡単にでき、手を汚すことなくフィルタ部３および汚れ防止カバー１０の清掃や交換が可能となる。
【００３９】
上述した実施の形態は、本発明を例示的に述べたものであり、本発明は、上述した実施の形態のみに限定されるものではなく、実用新案登録請求の範囲内において種々変更使用することができる。例えば、前記実施の形態では、汚れ防止カバー１０をフィルタ部３に取付けているが、これのみでなく、例えば、図８に示すように、レンジフード１の開口部５に直接汚れ防止カバー１０を取付けてもよい。本実施形態の汚れ防止カバー１０は、緊張手段１２が伸縮自在であるので、レンジフード１の開口部５のように多少大きな部分でも、問題なく取付けることができる。
【００４０】
また、図９に示すように、いわゆるグリスフィルタにも取付けることができる。グリスフィルタは、レンジフード１の開口部５に露呈するように設けられたものであるが、これも脱着自在であるため、取外せば、簡単に取付け可能である。
【産業上の利用可能性】
【００４１】
本考案は、レンジフードの開口部やフィルタ部に取付けられる難燃性の不織布からなる汚れ防止カバーであり、排気中に含まれる油分の捕捉に利用できる。
【図面の簡単な説明】
【００４２】
【図１】本考案の実施の形態を示す断面図である。
【図２】図１の要部を示す分解斜視図である。
【図３】図１の要部を示す拡大断面図である。
【図４】本考案の第２実施形態を示す背面図である。
【図５】本考案の第３実施形態を示す背面図である。
【図６】フィルタ部の変形例を示す断面図である。
【図７】同変形例に使用する汚れ防止カバーを示す正面図である。
【図８】本考案のさらに他の実施の形態を示す斜視図である。
【図９】本考案の別の実施の形態を示す斜視図である。
【符号の説明】
【００４３】
１…レンジフード、
３…フィルタ部、
５…開口部、
１０…汚れ防止カバー、
１１…袋状部、
１１ａ…第１覆い部、
１１ｂ…第２覆い部、
１２…緊張手段、
１３…縫合部、
１４…袋縫い部、
１５，１５ａ…弾性線材、
１７…切除部、
２０…把手、
２１…切込み部。
【図１】
0003101197.tif 000003
【図２】
0003101197.tif 000004
【図３】
0003101197.tif 000005
【図４】
0003101197.tif 000006
【図５】
0003101197.tif 000007
【図６】
0003101197.tif 000008
【図７】
0003101197.tif 000009
【図８】
0003101197.tif 000010
【図９】
0003101197.tif 000011